(57)【要約】  【課題】ゴルフクラブヘッドにおいて、従来に比べてより多くのバックスピン量をゴルフボールに与えることで、正確な位置にゴルフボールを飛ばして止める。  【解決手段】ゴルフクラブヘッド１０は、設定されているロフト角度およびライ角度になるように水平面にセットしたとき、ゴルフクラブヘッドのソール部の最下点Ｂとゴルフクラブヘッドのフェース部の最先端の点Ｃとの間の第１の水平距離Ｓが２０ｍｍ以上５０ｍｍ以下である。また、最下点Ｂから１４ｍｍ上方のフェース部の打撃面上の位置を通る、打撃面１６に直交する直線Ｌが水平面と交わる交点Ｑを定め、この交点Ｑと最先端の点Ｃとの間の第２の水平距離をＰとしたとき、第１の水平距離Ｓは第２の水平距離Ｐの０．９倍以上１．２倍以下である。【選択図】図１
2005211560.tif 000002
【特許請求の範囲】
【請求項１】
アイアンゴルフクラブ用のゴルフクラブヘッドであって、
ゴルフクラブヘッドが設定されているロフト角度およびライ角度を成すように水平面にセットしたとき、ソール部が下方に向かって凸状になっており、ゴルフクラブヘッドのソール部の最下点とゴルフクラブヘッドのフェース部の最先端との間の水平距離が２０ｍｍ以上５０ｍｍ以下であることを特徴とするゴルフクラブヘッド。
【請求項２】
前記ロフト角度が４０度以上である請求項１に記載のゴルフクラブヘッド。
【請求項３】
アイアンゴルフクラブ用のゴルフクラブヘッドであって、
ゴルフクラブヘッドが設定されているロフト角度およびライ角度を成すように水平面にセットしたとき、ソール部が下方に向かって凸状になっており、ゴルフクラブヘッドのソール部の最下点とゴルフクラブヘッドのフェース部の最先端との間の第１の水平距離をＳとし、前記最下点から１４ｍｍ上方のフェース部の打撃面上の位置を通る、前記打撃面に直交する直線が前記水平面と交わる交点を定め、この交点と前記フェース部の最先端との間の第２の水平距離をＰとしたとき、
前記第１の水平距離Ｓは前記第２の水平距離Ｐの０．９倍以上１．２倍以下であることを特徴とするゴルフクラブヘッド。
【請求項４】
前記第１の水平距離Ｓは２０ｍｍ以上５０ｍｍ以下である請求項３に記載のゴルフクラブヘッド。
【請求項５】
前記ロフト角度が４０度以上である請求項３または４に記載のゴルフクラブヘッド。
【発明の詳細な説明】
【技術分野】
【０００１】
本発明は、アイアンゴルフクラブ用のゴルフクラブヘッド、特にゴルフボールの飛距離を調整するアプローチウェッジやサンドウェッジ等のショートアイアンのゴルフクラブヘッドに関する。
【背景技術】
【０００２】
アプローチウェッジやサンドウェッジ等のショートアイアンでは、ゴルフボールの飛距離を稼ぐことよりも、グリーン上のカップあるいはカップ近傍にゴルフボールを正確に落下させて止める、正確なショットが求められている。
正確なショットを実現するためには、ゴルフボールが地面に着弾した後のゴルフボールの転がり（ラン）を減らすことが必要である。これは、ゴルフボールのランは落下した地面の状態に左右されゴルフボールの飛距離がばらつくからである。
【０００３】
このため、ゴルフボールのランを減らすにはゴルフボールのバックスピン量を増大させることが有効であり、ゴルフボールにより多くのバックスピン量を与えることによってゴルフボールのランを減少させることができる。
【０００４】
下記特許文献１では、ゴルフクラブヘッドのソール部に、トウ側およびヒール側に傾斜したガイド面を設けることでゴルフクラブヘッド本体の振り抜きを良くしたゴルフクラブを開示している。
また、下記特許文献２では、ソール幅を狭くすることでスピンのきいた切れ味の鋭いショットを実現するショートアイアンを開示している。
【０００５】
【特許文献１】特開平８−２６６６８６号公報
【特許文献２】特開平８−２５７１７３号公報
【０００６】
これらのゴルフクラブヘッドは、ソール部の形状等を調整することで地面にヘッド本体を食い込ませてゴルフボールに大きなバックスピンを与え、あるいは、地面にヘッド本体を食い込ませた後の振り抜きを良くするものである。
一方において、プロゴルファや上級者のゴルファはアプローチウェッジやサンドウェッジにおいてゴルフボールにより多くのバックスピン量を与えて、目標とする位置にゴルフボールを落下させて正確に止めることを望んでいるが、上記特許文献１、２のゴルフクラブヘッドは必ずしも満足するものとはいえなかった。
【発明の開示】
【発明が解決しようとする課題】
【０００７】
そこで、本発明は、アプローチウェッジやサンドウェッジ等のショートアイアンを初めとするゴルフクラブヘッドにおいて、従来に比べてより多くのバックスピン量をゴルフボールに与えることで、正確な位置にゴルフボールを飛ばして止めることができるゴルフクラブヘッドを提供することを目的とする。
【課題を解決するための手段】
【０００８】
上記目的を達成するために、本発明は、アイアンゴルフクラブ用のゴルフクラブヘッドであって、ゴルフクラブヘッドが設定されているロフト角度およびライ角度を成すように水平面にセットしたとき、ソール部が下方に向かって凸状になっており、ゴルフクラブヘッドのソール部の最下点とゴルフクラブヘッドのフェース部の最先端との間の水平距離が２０ｍｍ以上５０ｍｍ以下であることを特徴とするゴルフクラブヘッドを提供する。
【０００９】
その際、前記ロフト角度が４０度以上であるのが好ましい。
【００１０】
さらに、本発明は、アイアンゴルフクラブ用のゴルフクラブヘッドであって、ゴルフクラブヘッドが設定されているロフト角度およびライ角度を成すように水平面にセットしたときソール部が下方に向かって凸状になっており、ゴルフクラブヘッドのソール部の最下点とゴルフクラブヘッドのフェース部の最先端との間の第１の水平距離をＳとし、前記最下点から１４ｍｍ上方のフェース部の打撃面上の位置を通る、前記打撃面に直交する直線が前記水平面と交わる交点を定め、この交点と前記フェース部の最先端との間の第２の水平距離をＰとしたとき、前記第１の水平距離Ｓは前記第２の水平距離Ｐの０．９倍以上１．２倍以下であることを特徴とするゴルフクラブヘッドを提供する。
【００１１】
その際、前記第１の水平距離Ｓは２０ｍｍ以上５０ｍｍ以下であるのが好ましい。
また、前記ロフト角度が４０度以上であるのが好ましい。
【発明の効果】
【００１２】
本発明では、第１の水平距離Ｓを２０ｍｍ以上５０ｍｍ以下とすることにより、また、第１の水平距離Ｓを第２の水平距離Ｐの０．９倍以上１．２倍以下とすることにより、ゴルフボール打撃時にソール面の最下点が地面と接触してバウンスする時に生じるフェース部の回転運動を増大させることができる。このため、このフェース本体部の回転によるギア効果によって打ち出されるゴルフボールのバックスピン量を増大させることができる。
【発明を実施するための最良の形態】
【００１３】
以下、本発明のゴルフクラブヘッドについて、添付の図面に示される好適実施例を基に詳細に説明する。
【００１４】
図１（ａ）は、本発明のゴルフクラブヘッドの一例であるゴルフクラブヘッド１０の正面図である。ゴルフクラブヘッド１０は、ロフト角度が４０度以上のウェッジ系のゴルフクラブヘッドである。
ゴルフクラブヘッド１０は、ゴルフボールを打撃する打撃面を有するフェース本体部１２と、フェース本体部１２と接続され、ゴルフクラブシャフトが挿入され結合されるホーゼル部１４とを有する。
【００１５】
図１（ｂ）は、図１（ａ）に示すゴルフクラブヘッド１０のＡ−Ａ’矢視断面図である。
ゴルフクラブヘッド１０は、設定されているロフト角度およびライ角度を成すように水平面にセットしたとき、ゴルフクラブヘッドのソール部の最下点とゴルフクラブヘッドのフェース部の最先端との間の第１の水平距離が２０ｍｍ以上５０ｍｍ以下である。
具体的には、ゴルフクラブヘッド１０を水平面Ｇ上に、設定されているロフト角度およびライ角度を成すようにセットしたとき、水平面Ｇと接するゴルフクラブヘッド１０のフェース本体部１２の最下点Ｂ（ソール部の最下点）とゴルフクラブヘッド１０のフェース本体部１２の最先端の点Ｃとの間の第１の水平距離Ｓが２０ｍｍ以上５０ｍｍ以下となるようにフェース本体部１２のソール側形状（ソール部の形状）が凸状となって構成されている。
【００１６】
さらに、ゴルフクラブヘッド１０は、設定されているロフト角度およびライ角度を成すように水平面Ｇにセットして、最下点Ｂから１４ｍｍ上方のフェース本体部１２の打撃面１６上の位置を通る、打撃面１６に直交する直線Ｌが水平面Ｇと交わる交点Ｑを定め、この交点Ｑとフェース本体部１２の最先端の点Ｃとの間の第２の水平距離をＰとしたとき、上記第１の水平距離Ｓは第２の水平距離Ｐの０．９倍以上１．２倍以下であるようにフェース本体部１２のソール側形状（ソール部の形状）が凸状となって構成されている。
ここで、最下点Ｂから１４ｍｍ上方の打撃面１６上の位置は、ゴルフボールが打撃される際の打撃中心の平均的な位置である。
【００１７】
なお、設定されているロフト角度およびライ角度を成すように水平面にセット（設置）するとは、具体的には、通常のアドレスポジションに設置することをいい、より具体的には、設定されているライ角度を成し、かつゴルフクラブヘッドのゴルフクラブシャフトを挿入するネック部の挿入孔の中心軸とゴルフクラブのリーディングエッジとが互いに平行になるように設置することと同等である。ここで、設定されているライ角度を成すように設置とはゴルフクラブヘッドの底面を成すソール部のラウンド面と基準面との間の隙間がトウ側およびヒール側で略等しくなるように設置することをいう。ソール部のラウンド面が不明瞭な場合、フェース面に形成されているスコアラインと基準面とが平行になるように設置してもよい。また、ゴルフクラブヘッドにゴルフクラブシャフトを挿入して作製されたゴルフクラブにおいて、ソール部のラウンド面が不明瞭であり、かつスコアラインが直線状でない等により基準面との平行か否かの判別が困難な場合は、ライ角度は、ライ角度（度）＝（９８−クラブ長さ（インチ））にて設定される。例えば、３５インチのクラブ長さであれば、ライ角度は９８−３５＝６３度になる。ここで、クラブ長さは、社団法人日本ゴルフ用品協会が定めるトラディショナル・スタンダード測定法により測定される。測定器としては、株式会社鴨下精衡所製のクラブ・メジャーＩＩが挙げられる。
【００１８】
また、上記ゴルフクラブヘッドを備えるゴルフクラブにおけるロフト角度は以下のようにして測定することで得ることができる。
ロフト角度は、ゴルフクラブヘッドのネック部に挿入されるゴルフクラブシャフトのシャフト軸とフェース面との成す角度であり、図２に示されるようなロフト角度測定器５０により測定される。
図３は、上記ゴルフクラブヘッドを備えるアイアンのゴルフクラブをロフト角度測定器５０に取り付けた例を示し、図３は、図２中のゴルフクラブヘッド１０の周辺を拡大して示している。
【００１９】
ロフト角度の測定は、ゴルフクラブをロフト角度測定器５０に取り付けた状態において、ゴルフクラブが基準面５２に対して上述したライ角度通りに設置するようにライ角度調整部５３において取り付け角度が調整され、次いで、ロフト角度測定器５０に取り付けられたゴルフクラブは、ソール部１９が基準面５２に接するように、かつ、フェース角度調整具５６の先端部５６ａに打撃面１６が密着するように、すなわち、フェース角が０°になるように、ゴルフクラブがチャック部５８で固定される。
【００２０】
ここで、上述したライ角度通りに設置とは、スコアライン５５がフェース角度調整治具５６の先端部５６ａと平行になるように設置することをいう。また、スコアラインが直線でない等、スコアラインによる判別が困難な場合、ソール部１９が、図４のように、ソール部１９のトウ側（Ｔ）とヒール側（Ｈ）の間で凸状に丸くなっている場合、基準面５２とソール部１９の間に生じる隙間がトウ側とヒール側で略等しくなるように設置することをいう。
さらに、ソール部１９の凸状の部分が不明瞭であり、かつスコアラインが直線状でなく基準面５２との平行が判別できない場合、上述したように、ライ角度は、１００−ゴルフクラブ長さ（インチ）の値として設定されてライ角度通りに設置される。なお、ゴルフクラブ長さは、ゴルフクラブヘッドにおけるソール面とネック部の背部の接点からグリップエンド（キャップの丸みを含まない）までの長さである。
【００２１】
その後、図５に示すように、ゴルフクラブヘッド１０の打撃面１６の基準面５２に垂直に立てた分度器６０を用いてロフト角度θが測定される。打撃面１６が平面の場合、上記測定によってロフト角度θが得られるが、打撃面１６が凸状に丸くなっている場合、図６に示すように、打撃面１６の中点Ｍに分度器６０の測定面が接するように当てて測定される。
ロフト角度θの測定は、上述のようにゴルフクラブによって測定する他、ゴルフクラブヘッド単体にシャフトピンを差し込んで測定することも可能である。ゴルフクラブヘッド単体で測定して得られるロフト角度θの数値は、上述のゴルフクラブによって測定して得られるロフト角度θと実質的に同じである。
【００２２】
このような測定器は、市販されている公知のものであればよく、例えば、高爾夫球頭測度台（昇峰企業社製）、ゴルフクラブアングル測定器（ゴルフギャレーヂ社製）およびゴルフクラブゲージ（Ｇｏｌｆｓｍｉｔｈ社製）等が例示される。
【００２３】
このようなゴルフクラブヘッド１０のフェース本体部１２およびホーゼル部１４は、ステンレス合金やアルミニウム合金等の公知の金属材料で構成されているが、本発明のゴルフクラブヘッドでは特に材料は限定されない。また、本発明のゴルフクラブヘッドは、ピッチングウェッジ、アプローチウェッジやサンドウェッジ等のウェッジ系のゴルフクラブヘッドに限定されず、ロフト角度が２５度、３３度等の５番、７番アイアン等のミドルアイアンやロングアイアンのゴルフクラブヘッドであってもよい。しかし、本発明は、サンドウェッジ等のゴルフボールをカップ近くに運んで止める機能を有するゴルフクラブヘッドに好適に適用でき、ロフト角度が４０度以上であることが好ましい。ロフト角度が４０度以上のゴルフクラブは、特にバックスピン量を大きくして目標とする位置にゴルフボールを落下させて正確に止めることが望まれるゴルフクラブである。なお、ロフト角度に上限は設けられないが、実用的なゴルフクラブとしてロフト角度は６５度以下である。
【００２４】
このようなゴルフクラブヘッド１０では、ゴルファがゴルフボールを打撃するために地面に向かって振り下ろした場合、後述する実施例で示すようにゴルフボールに与えるバックスピン量が多くなり、打ち出されて地面に落下した後のゴルフボールのランが減少する。
図７（ａ）は、ゴルフボール打撃時の、ゴルフクラブヘッド１０のフェース本体部１２の作用を説明する図である。
【００２５】
プロゴルファやレベルの高い上級者がゴルフボールを打撃する際、ゴルフクラブヘッド１２の最下点Ｂが地面と接触しバウンスする。その際、ゴルフクラブヘッド１２は、ゴルフボールを打撃方向に打ち出すため、図７（ａ）中左から右方向に向かって移動している。このため、フェース本体部１２は地面と接触した最下点Ｂを中心に図７（ａ）において時計回りに回転運動をする。この回転運動はゴルフクラブシャフトの撓りによって吸収されたり、ゴルファのグリップで吸収される。しかし、ゴルフボール２０は、この回転運動により打撃面１６が破線から実線のように変化するので、打ち出されるゴルフボールはギア効果によって、図７（ａ）中の反時計方向（矢印方向）にスピンが発生する。このスピンの方向は、ロフト角度によって発生するバックスピン量を増大させる方向のものであるため、地面に落下したゴルフボールのランは減少する。
【００２６】
ゴルフクラブヘッド１０はゴルフボールの打撃時に上記作用をすることから、最下点Ｂとゴルフボールの打撃点（ゴルフボールが接触する打撃面上の中心点）との間の距離を大きくすることにより、ゴルフクラブヘッドが同じ回転角θ（図７（ａ）、（ｂ）参照）回転する場合でも、ゴルフボールに与えるバックスピン量が大きくなる。図７（ｂ）には、フェース本体部２２の最下点Ｂとゴルフボールの打撃点との間の距離を小さくした場合を示している。
本発明においては、最下点Ｂからゴルフボールの打撃点に至る直線が打撃面に略直交する場合、ゴルフボールに与えるバックスピン量が効果的に増大する。
本発明では、このような状態を、第１の水平距離Ｓが２０ｍｍ以上５０ｍｍ以下とすることによって達成することができる。また、第１の水平距離Ｓが第２の水平距離Ｐの０．９倍以上１．２倍以下となるようにフェース本体部１２のソール側形状を凸状に構成することで達成することができる。
【００２７】
このように、第１の水平距離Ｓを２０ｍｍ以上５０ｍｍ以下とすること、および第１の水平距離Ｓを第２の水平距離Ｐの０．９倍以上１．２倍以下とするゴルフクラブヘッドの断面形状の形態は、図１（ｂ）に示すような、バウンス角（打撃面とソール面との成す角度）を一定にして最下点Ｂの位置を調整した形態に限定されず、図８に示すように、ソール面の一部に突出部３２を設けた形態のゴルフクラブヘッド３０であってもよい。
【実施例】
【００２８】
本発明のゴルフクラブヘッドの効果を調べるために第１の水平距離Ｓ、および第１の水平距離Ｓの第２の水平距離Ｐに対する比を種々設定したゴルフクラブヘッドにゴルフクラブシャフトを結合してゴルフクラブを作製し、打ち出されたゴルフボールの打ち出し直後の初速度（ｍ／秒）、打出角度（度）バックスピン量（ＲＰＭ）を測定した。作製したゴルフクラブヘッドの形態は、図１（ｂ）に示す形状を有する。
【００２９】
ゴルフクラブヘッドは、ロフト角度が２６度の５番アイアンのゴルフクラブヘッド、ロフト角度が３３度の７番アイアンのゴルフクラブヘッド、ロフト角度が４１度の９番アイアンのゴルフクラブヘッドおよびロフト角度が４６度のピッチングエッジのゴルフクラブヘッドである。
打ち出し直後のゴルフボールのバックスピン量は、３つのマークを表面に記したゴルフボールをカメラにより一定の時間間隔で撮影することによりゴルフボールの打ち出し直後の初速度、打出角度およびバックスピン量を測定した。３人のゴルファが５回ずつゴルフボールを打ち、計１５回のゴルフボールの測定結果を得、測定結果の平均値を求めた。
【００３０】
下記表１〜７では、いずれも第１の水平距離Ｓ＝５ｍｍの時の初速度、打出角度およびバックスピン量の平均値を基準にして（１００にして）、平均値を指数化した。いずれも値が高いほど、初速度、打出角度およびバックスピン量が高くなることを示している。
【００３１】
【表１】
2005211560.tif 000003
【表２】
2005211560.tif 000004
【表３】
2005211560.tif 000005
【表４】
2005211560.tif 000006
【００３２】
【表５】
2005211560.tif 000007
【表６】
2005211560.tif 000008
【表７】
2005211560.tif 000009
【００３３】
表１〜４から明らかなように、第１の水平距離Ｓが２０ｍｍ以上５０ｍｍ以下であり、
第１の水平距離Ｓが第２の水平距離Ｐの０．９倍以上１．２倍以下のゴルフクラブヘッドでは、初速度が大きく変化することなく、バックスピン量が急激に増大する。また、表５〜７から明らかなように、第１の水平距離Ｓ／第２の水平距離Ｐが０．９以上１．２以下となることで、バックスピン量が２％以上増加する。特に、ゴルフスウィングを調整して、ゴルフボールをカップ近傍に止め、あわよくばカップインさせるウェッジ系（ピッチングウェッジ、アプローチウェッジ、サンドウェッジ、ピッチングサンド等）や９番アイアン等のロフト角度が４０度以上のゴルフクラブヘッドに好適に用いることができる。
【００３４】
以上、本発明のゴルフクラブヘッドについて詳細に説明したが、本発明は上記実施形態に限定されず、本発明の主旨を逸脱しない範囲において、種々の改良や変更をしてもよいのはもちろんである。
【図面の簡単な説明】
【００３５】
【図１】本発明のゴルフクラブヘッドの一例であるウェッジ系のゴルフクラブヘッドの正面図であり、（ｂ）は、図１（ａ）に示すゴルフクラブヘッドの矢視断面図である。
【図２】本発明のゴルフクラブヘッドにおけるロフト角度を計測するロフト角度測定器を説明する図である。
【図３】図２に示す測定器の要部を説明する説明図である。
【図４】図２に示す測定器でロフト角度を測定する方法を説明する他の説明図である。
【図５】図２に示す測定器でロフト角度を測定する方法を説明する他の説明図である。
【図６】図２に示す測定器でロフト角度を測定する方法を説明する他の説明図である。
【図７】（ａ），（ｂ）はゴルフボール打撃時の、ゴルフクラブヘッドのフェース本体部の作用を説明する図である。
【図８】本発明のゴルフクラブヘッドの他の例の断面図である。
【符号の説明】
【００３６】
１０  ゴルフクラブヘッド
１２，２２  フェース本体部
１４  ホーゼル部
１６  打撃面
２０  ゴルフボール
５０  ロフト角度測定器
６０  分度器
【図１】
2005211560.tif 000010
【図２】
2005211560.tif 000011
【図３】
2005211560.tif 000012
【図４】
2005211560.tif 000013
【図５】
2005211560.tif 000014
【図６】
2005211560.tif 000015
【図７】
2005211560.tif 000016
【図８】
2005211560.tif 000017